(57)【要約】【課題】いずれかの箇所に短絡異常が発生している場合に、少ない回数の確認作業で異常箇所を特定できるような薬剤収容装置を提供する。【解決手段】薬剤収容装置は、電源１０と、薬剤を収容し、電源１０からの電力によって動作する多数の収容部と、電源１０からの電力を前記多数の収容部に供給する電力線６０とを備え、電力線６０が複数に分岐することで、前記多数の収容部が、複数の収容部群に分かれており、前記複数の収容部群の各々は、複数の収容部３６を含んでおり、前記複数の収容部群の各々に対して、別々の一括接続部が設けられ、前記別々の一括接続部の各々は、電力線６０に介在し、前記複数の収容部群のうち対応する収容部群に含まれる複数の収容部３６を一括して電源１０に対して電気的に接続および分離することができる。【選択図】図６
2018117988.tif 000002
【特許請求の範囲】
【請求項１】
電源と、
薬剤を収容し、前記電源からの電力によって動作する多数の収容部と、
前記電源からの電力を前記多数の収容部に供給する電力線とを備え、
前記電力線が複数に分岐することで、前記多数の収容部が、複数の収容部群に分かれており、
前記複数の収容部群の各々は、複数の収容部を含んでおり、
前記複数の収容部群の各々に対して、別々の一括接続部が設けられ、
前記別々の一括接続部の各々は、前記電力線に介在し、前記複数の収容部群のうち対応する収容部群に含まれる前記複数の収容部を一括して前記電源に対して電気的に接続および分離することができる、薬剤収容装置。
【請求項２】
前記電力線が段階的に分岐することで、各段階において、前記多数の収容部が、複数の収容部を含む複数の収容部群に分かれている、請求項１に記載の薬剤収容装置。
【請求項３】
前記複数の収容部群の各々に含まれる前記複数の収容部は、まとまって配置され、
前記別々の一括接続部の各々は、前記複数の収容部群のうち対応する収容部群に含まれる前記複数の収容部の近くに配置される、請求項１または２に記載の薬剤収容装置。
【請求項４】
前記多数の収容部の各々に対して、別々の個別接続部が設けられ、
前記別々の個別接続部の各々は、前記電力線に介在し、前記多数の収容部のうち対応する収容部を前記電源に対して電気的に接続および分離することができる、請求項１から３のいずれか１項に記載の薬剤収容装置。
【請求項５】
前記別々の個別接続部の各々は、前記多数の収容部のうち対応する収容部の近くに配置される、請求項４に記載の薬剤収容装置。
【発明の詳細な説明】
【技術分野】
【０００１】
本発明は、薬剤収容装置に関するものである。
【背景技術】
【０００２】
「自動調剤装置」と称する装置が特開２００５−１９２７０２号公報（特許文献１）に記載されている。この装置では、格納庫に多数のベース部が格納されている。薬剤を収容する薬剤カセットが、ベース部によって着脱可能に支持されている。ベース部の各々にはマイクロプロセッサなどが搭載されている。
【先行技術文献】
【特許文献】
【０００３】
【特許文献１】特開２００５−１９２７０２号公報
【発明の概要】
【発明が解決しようとする課題】
【０００４】
調剤作業を目的としているか否かを問わず、薬剤を収容する機能を有する装置を、以下「薬剤収容装置」というものとする。薬剤収容装置において、薬剤カセットは支持部によって支持されるものとする。薬剤収容装置に多数格納される支持部の各々においては、動作のために電力を必要とする場合がある。この電力をまかなうために、薬剤収容装置において、１つの電源から電力線を介して多数の支持部に対して電力供給が行なわれる場合がある。そのような薬剤収容装置において短絡異常が発生した場合、異常箇所を特定するために、各支持部を電源から切り離して短絡異常の状態が解消されるか否かを確かめる作業が必要となる。
【０００５】
多数存在する支持部の各々について１個ずつ切り離して短絡異常の状態が解消するか否かを確かめ、再度接続するという作業を順に行なっていくとすると、最悪の場合、全ての支持部の個数分の確認作業を行なってようやく異常箇所が判明するという事態が生じうる。これでは、効率が悪い。
【０００６】
そこで、本発明は、いずれかの箇所に短絡異常が発生している場合に、少ない回数の確認作業で異常箇所を特定できるような薬剤収容装置を提供することを目的とする。
【課題を解決するための手段】
【０００７】
上記目的を達成するため、本発明に基づく薬剤収容装置は、電源と、薬剤を収容し、上記電源からの電力によって動作する多数の収容部と、上記電源からの電力を上記多数の収容部に供給する電力線とを備え、上記電力線が複数に分岐することで、上記多数の収容部が、複数の収容部群に分かれており、上記複数の収容部群の各々は、複数の収容部を含んでおり、上記複数の収容部群の各々に対して、別々の一括接続部が設けられ、上記別々の一括接続部の各々は、上記電力線に介在し、上記複数の収容部群のうち対応する収容部群に含まれる上記複数の収容部を一括して上記電源に対して電気的に接続および分離することができる。
【発明の効果】
【０００８】
本発明によれば、複数の収容部群の各々に対して、別々の一括接続部が設けられる。別々の一括接続部の各々は、複数の収容部群のうち対応する収容部群に含まれる複数の収容部を一括して電源に対して電気的に接続および分離することができるので、いずれかの箇所に短絡異常が発生している場合に、その箇所を効率良く絞り込むことができる。したがって、少ない回数の確認作業で異常箇所を特定できるような薬剤収容装置とすることができる。
【図面の簡単な説明】
【０００９】
【図１】本発明に基づく実施の形態１における薬剤収容装置の斜視図である。
【図２】本発明に基づく実施の形態１における薬剤収容装置の一方の扉を開けた状態の斜視図である。
【図３】本発明に基づく実施の形態１における薬剤収容装置の扉、側板などを取り去った状態の斜視図である。
【図４】本発明に基づく実施の形態１における薬剤収容装置に備わるドラムの模式的な斜視図である。
【図５】本発明に基づく実施の形態１における薬剤収容装置に備わる分割体の斜視図である。
【図６】本発明に基づく実施の形態１における薬剤収容装置に備わる電力線およびコネクタの接続関係を模式的に示す図である。
【発明を実施するための形態】
【００１０】
（実施の形態１）
（構成）
図１〜図６を参照して、本発明に基づく実施の形態１における薬剤収容装置について説明する。
【００１１】
本実施の形態における薬剤収容装置１０１は、多数種類の薬剤を収容し、処方箋に基づいて薬剤を供給する。医師などが患者に交付する処方箋には、処方情報が記載されている。処方情報は薬剤情報を含む。薬剤情報は、薬名、分量、用法および用量を含む。薬剤収容装置１０１は、薬剤として、固形の薬剤を収容する。固形の薬剤としては、錠剤、丸剤、カプセル剤などが挙げられる。薬剤収容装置１０１は、薬剤分包装置の一部であってもよい。本実施の形態では、薬剤収容装置１０１は、処方箋に基づいて薬剤を供給する機能を有するものとしたが、これはあくまで一例であり、薬剤収容装置１０１は、このような機能を有していないものであってもよい。
【００１２】
本実施の形態における薬剤収容装置１０１の外観を図１に示す。薬剤収容装置１０１は、筐体２を備える。筐体２は前板４と側板８と天井部５とを備える。筐体２の正面側においては、扉６ａ、前板４および扉６ｂがこの順に並んで配置されている。筐体２の正面側の中央に上下方向に延在するように前板４が配置され、前板４の左右両側に対称に扉６ａ，６ｂが取り付けられている。扉６ａ，６ｂはそれぞれ取っ手１６ａ，１６ｂを備えている。ユーザは取っ手１６ａ，１６ｂを持って扉６ａ，６ｂを開閉することができる。薬剤収容装置１０１は、正面側に入力部５１を備える。入力部５１はたとえば図１に示すように前板４に取り付けられている。筐体２の左右の側面には側板８が配置されている。
【００１３】
薬剤収容装置１０１の扉６ａを開けた状態を図２に示す。扉６ａを開けたことによって開口部３を通じてドラム２０が見えている。ドラム２０は筐体２内に配置されている。筐体２の扉６ａ，６ｂ、前板４、側板８を取り去った状態を図３に示す。天井部５は、上下方向に延在する数本の柱１１によって支持されている。複数の柱１１のうち少なくとも４本は、天井部５の四隅を支えるように配置されている。天井部５の下には２つのドラム２０が配置されている。各ドラム２０は個別に回動可能に設置されている。ここでは１台の薬剤収容装置１０１が２つのドラム２０を備える例を示すが、１台の薬剤収容装置が備えるドラムの数は２以外であってもよい。薬剤収容装置に備わっているドラムが１つであってもよく、３つ以上であってもよい。
【００１４】
ドラム２０の構造を図４に模式的に示す。１つのドラム２０は４つの分割体３０を含み、円筒形となっている。ドラム２０は上下方向に延びる中心線８１のまわりに回動することができるように支持されている。ここでは、１つのドラム２０が９０°ごとの合計４つの分割体の組合せを含むものとしたが、これはあくまで一例であり、１つのドラムはｎ個の分割体の組合せを含んでもよい。ｎは２以上の整数である。ｎの値によって、分割体の１個当たりの中心角は変わり得る。分割体の１個当たりの中心角は、たとえば３６０°をｎ等分した角度であってよい。ドラムはｎ個の分割体を含み、さらにこれらの分割体を互いにつなぎとめる機構またはこれらの分割体を保持する機構を備えていてもよい。
【００１５】
１つの分割体３０を取り出したところを図５に示す。分割体３０は、上部３４と、下部３５とを備える。上部３４と下部３５との間に複数の収容部３６が配列されている。収容部３６は、カセット３１と支持部３２とを含む。カセット３１は収容部本体である。カセット３１は支持部３２によって支持されている。カセット３１は支持部３２に対して着脱可能である。複数の収容部３６がそれぞれカセット３１を含んでいるので、全体としては複数のカセット３１が存在する。複数のカセット３１の各々には、複数の薬剤が収容されている。すなわち、たとえば薬剤が錠剤である場合には、１つのカセット３１の中に複数錠の薬剤が収容されている。複数のカセット３１のうちいずれか１つのカセット３１に注目した場合、１つのカセット３１の中には基本的に同種の薬剤のみが収容されている。複数のカセット３１に注目した場合、原則として別々のカセット３１には異なる種類の薬剤がそれぞれ収容されている。ただし、使用頻度が高い薬剤については、複数のカセット３１にわたって同種類の薬剤が収容されていてもよい。複数のカセット３１の各々は、それぞれの内部に収容している薬剤を排出することができる。各カセット３１には着脱の際にユーザが持つための取っ手がついていてもよい。この例では、１つの分割体３０には、軸方向Ｚに８個、周方向θに４個の合計３２個の収容部３６が配列されているが、これはあくまで一例であり、１つの分割体３０に含まれる収容部３６の個数および配列の仕方は、ここに示したものに限らない。
【００１６】
薬剤収容装置１０１における電力線の接続関係を図６に模式的に示す。図６においては各コネクタを菱形によって示している。電源１０は天井部５に配置されている。電源１０から引き出された電力線６０は何段階にも分岐している。電力線６０は電源１０から出て最初に２つのドラム２０に対応するように２本に分かれている。そのそれぞれにコネクタ６１が設けられている。各コネクタ６１は、天井部５に設けられる。コネクタ６１で切り離したり接続したりすることによって、左右のドラム２０を個別に電源１０から切り離したり電源１０に接続したりすることができる。
【００１７】
ここで示す例では、各ドラム２０は４つの分割体３０を含んでいる。１つのドラム２０の内部で電力線６０は４つの分割体３０に対応するように４本に分岐しており、分割体３０ごとに対応してコネクタ６２が設けられている。各コネクタ６２は、４つの分割体３０の内側に配置される支柱の上部に設けられる。電力線６０をコネクタ６２で切り離したり接続したりすることによって、所望の分割体３０を個別に電源１０から切り離したり電源１０に接続したりすることができる。各分割体３０は４つの列を含んでいる。列とは上下方向に並ぶ複数の収容部３６の集合である。１つの分割体３０の内部で電力線６０は４つの列に対応するように４本に分岐しており、列ごとに対応してコネクタ６３が設けられている。各コネクタ６３は、分割体３０の上部に設けられる。コネクタ６３で切り離したり接続したりすることによって、所望の列を個別に電源１０から切り離したり電源１０に接続したりすることができる。各収容部３６に対応してコネクタ６８が設けられている。１つの列の内部では、コネクタ６８を操作することにより収容部３６を個別に電源１０から切り離したり電源１０に接続したりすることができる。
【００１８】
薬剤収容装置１０１の構成は、以下のように表現することができる。
本実施の形態における薬剤収容装置１０１は、電源１０と、薬剤を収容し、前記電源からの電力によって動作する多数の収容部３６と、電源１０からの電力を前記多数の収容部に供給する電力線６０とを備える。電力線６０が複数に分岐することで、前記多数の収容部が、複数の収容部群に分かれている。前記複数の収容部群の各々は、複数の収容部を含んでいる。前記複数の収容部群の各々に対して、別々の一括接続部が設けられている。前記別々の一括接続部の各々は、電力線６０に介在し、前記複数の収容部群のうち対応する収容部群に含まれる前記複数の収容部３６を一括して電源１０に対して電気的に接続および分離することができる。
【００１９】
ここでいう「多数の収容部」とは、薬剤収容装置１０１に属する全ての収容部３６の集合である。薬剤収容部１０１の中でどの部分を１つの「収容部群」とみなすかについては、複数通りのあてはめ方が可能である。たとえば１つの列に属する全ての収容部３６の集合を１つの収容部群とみなすことができる。この場合、１つの分割体３０に含まれる４つの列の集合が「複数の収容部群」であり、「一括接続部」とは、コネクタ６３である。
【００２０】
あるいは、たとえば１つの分割体３０に属する全ての収容部３６の集合を１つの収容部群とみなすこともできる。この場合、１つのドラム２０に含まれる４つの分割体３０の集合が「複数の収容部群」であり、「一括接続部」とは、コネクタ６２である。
【００２１】
あるいは、たとえば１つのドラム２０に属する全ての収容部３６の集合を１つの収容部群とみなすこともできる。この場合、１台の薬剤収容装置１０１に含まれる２つのドラム２０の集合が「複数の収容部群」であり、「一括接続部」とは、コネクタ６１である。
【００２２】
（作用・効果）
本実施の形態では、複数の収容部群の各々に対して、別々の一括接続部が設けられており、一括接続部によって、収容部群に含まれる複数の収容部３６を一括して電源１０から電気的に分離することができるので、全体のいずれかの箇所に短絡異常が発生している場合には、収容部群ごとに電源１０から切り離すという行為を段階的に繰り返していくことによって、短絡異常の箇所を早期に絞り込むことができる。たとえばまず、コネクタ６１を用いて２つあるドラム２０の一方のみを電源１０から切り離す。これで短絡異常の状態が解消すればそのドラム２０の中に短絡箇所が存在するとわかる。短絡異常の状態が解消しなければもう一方のドラム２０の中に短絡箇所が存在するとわかる。次は、短絡箇所が含まれていることがわかったドラム２０について、当該ドラム２０に含まれる４つの分割体３０について、各コネクタ６２を用いて１つずつ順に電源１０から切り離す。切り離したときに短絡異常の状態が解消すればその分割体３０の中に短絡箇所が存在するとわかる。次は、短絡箇所が含まれていることがわかった分割体３０について、当該分割体３０に含まれる４つの列について、各コネクタ６３を用いて１つずつ順に電源１０から切り離す。切り離したときに短絡異常の状態が解消すればその列の中に短絡箇所が存在するとわかる。次は、短絡箇所が含まれていることがわかった列について、当該列に含まれる複数の収容部３６について、各コネクタ６８を用いて１つずつ順に電源１０から切り離す。切り離したときに短絡異常の状態が解消すればその収容部３６に短絡箇所が存在するとわかる。このような作業を行なうことで、従来より少ない回数の試行で短絡箇所を特定することができる。
【００２３】
以上のように、本実施の形態によれば、短絡異常が発生している場合に、少ない回数の確認作業で異常箇所を特定できるような薬剤収容装置とすることができる。
【００２４】
本実施の形態で示したように、電力線６０が段階的に分岐することで、各段階において、前記多数の収容部が、複数の収容部を含む複数の収容部群に分かれていることが好ましい。これは、１つの収容部群の中にさらに細かい複数の収容部群が属している状態である。この関係を複数段階にわたって繰り返すような構造であってよい。すなわち、収容部群は、階層状となっていてよい。たとえば本実施の形態におけるドラム−分割体−列のような関係である。段階の数は本実施の形態で示したものに限らず、もっと多くても少なくてもよい。この構成を採用することにより、薬剤収容装置の全体としてきわめて多数の収容部が存在する場合にも、多段階で収容部群に分けることができるので、短絡異常が発生している場合に短絡箇所を効率良く特定することができる。
【００２５】
前記複数の収容部群の各々に含まれる前記複数の収容部は、まとまって配置され、前記別々の一括接続部の各々は、前記複数の収容部群のうち対応する収容部群に含まれる前記複数の収容部の近くに配置されることが好ましい。この構成を採用することにより、一括接続部と収容部群との対応関係がわかりやすくなる。
【００２６】
本実施の形態で示したように、前記多数の収容部の各々に対して、別々の個別接続部が設けられ、前記別々の個別接続部の各々は、電力線６０に介在し、前記多数の収容部のうち対応する収容部３６を電源１０に対して電気的に接続および分離することができることが好ましい。この構成を採用することにより、いずれの収容部３６に短絡箇所が存在するかを収容部１個単位で正しく特定することができる。図６においては、個々の収容部３６に対応してそれぞれ設けられたコネクタ６８が個別接続部に相当する。薬剤収容装置１０１においては、コネクタ６８は収容部３６の数だけ存在する。
【００２７】
本実施の形態で示したように、前記別々の個別接続部の各々は、前記多数の収容部のうち対応する収容部の近くに配置される。この構成を採用することにより、個別接続部と収容部との対応関係がわかりやすくなる。
【００２８】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００２９】
２  筐体、３  開口部、４  前板、５  天井部、６ａ，６ｂ  扉、８  側板、１０  電源、１１  柱、１６ａ，１６ｂ  取っ手、２０  ドラム、３０  分割体、３１  カセット、３２  支持部、３４  上部、３５  下部、３６  収容部、５１  入力部、６０  電力線、６１，６２，６３，６８  コネクタ、８１  中心線、１０１  薬剤収容装置。
【図１】
2018117988.tif 000003
【図２】
2018117988.tif 000004
【図３】
2018117988.tif 000005
【図４】
2018117988.tif 000006
【図５】
2018117988.tif 000007
【図６】
2018117988.tif 000008